(57)【要約】【課題】  本出願に係る発明の目的は、撮影した画像のフォーカス状態を確認する方法を提供する事である。【解決手段】  撮影した画像のフォーカス領域を切り出し、その切り出した画像をフォーカス確認用画像として表示する際に、記録画素数が少ない場合には、撮像画像から切り出す切り出し画像の撮像画角に対する範囲を記録画素数が多い場合よりも大きくする。【選択図】  図５
2007208626.tif 000002
【特許請求の範囲】
【請求項１】
第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有し、
撮像画像を記憶する記憶手段と、
前記記憶手段に記憶されている撮像画像の一部の範囲の画像を切り出し画像表示手段へ表示するよう制御する制御手段とを備え、
前記制御手段は、前記第１の記憶モードの場合よりも前記第２の記憶モードの場合に撮像画像から切り出す切り出し画像の撮像画角に対する範囲を大きくすることを特徴とする制御装置。
【請求項２】
請求項１に記載の制御装置において、前記制御手段は、前記画像表示手段で表示する撮像画像から切り出した画像の表示面積を変えずに、前記第１の記憶モードの場合よりも前記第２の記憶モードの場合に撮像画像から切り出す切り出し画像の撮像画角に対する範囲を大きくすることを特徴とする制御装置。
【請求項３】
第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有し、
撮像画像を記憶する記憶手段と、
前記記憶手段に記憶されている撮像画像の一部の範囲の画像を切り出し画像表示手段へ表示するよう制御する制御手段とを備え、
前記制御手段は、前記第１の記憶モードの場合よりも前記第２の記憶モードの場合に前記画像表示手段で表示する撮像画像から切り出した当該撮像画像の一部の範囲の切り出し画像の表示面積を小さくすることを特徴とする制御装置。
【請求項４】
請求項３に記載の制御装置において、前記制御手段は、撮像画像から一部の範囲の画像を切り出す際、撮像画像の画角全体に対する当該切り出す範囲は変えずに、前記第１の記憶モードの場合よりも前記第２の記憶モードの場合に前記画像表示手段で表示する撮像画像から切り出した当該撮像画像の一部の範囲の切り出し画像の表示面積を小さくすることを特徴とする制御装置。
【請求項５】
請求項１乃至４のいずれか１項に記載の制御装置において、前記制御手段は、前記記憶手段に記憶されている撮像画像の一部の範囲の切り出し画像を前記画像表示手段へ表示させるとともに、前記記憶手段に記憶されている撮像画像の一部を切り出さずに当該撮像画像の全体画像を画像表示手段へ表示させるようにしたことを特徴とする制御装置。
【請求項６】
請求項５に記載の制御装置において、前記制御手段は、前記切り出し画像を前記画像表示手段へ表示させつつ、前記全体画像を前記画像表示手段へ表示させることを特徴とする制御装置。
【請求項７】
請求項６に記載の制御装置において、前記制御手段は、前記切り出し画像が前記全体画像のどの範囲に対応させるかを示す指標を、当該全体画像に重畳させて前記画像表示手段に表示させることを特徴とする制御装置。
【請求項８】
請求項６又は請求項７に記載の制御装置において、前記画像表示手段の表示領域内のうち、前記制御手段は、前記切り出し画像と前記全体画像とを表示していない領域に、撮影画像のファイルサイズを表示させることを特徴とする制御装置。
【請求項９】
請求項１乃至８のいずれか１項に記載の制御装置において、更に、前記切り出し画像を前記画像表示手段に表示した後、前記記憶手段に記憶されている撮像画像の消去を指示することができる指示手段を有することを特徴とする制御装置。
【請求項１０】
請求項１乃至９のいずれか１項に記載の制御装置と、前記記憶手段に記憶する撮像画像の信号を取得する撮像手段とを有する撮像装置。
【請求項１１】
第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有する制御装置の制御方法であって、
撮像画像を記憶する記憶ステップと、
前記記憶ステップで記憶された撮像画像の一部の範囲の画像を切り出し画像表示手段へ表示するよう制御する制御ステップとを有し、
前記制御ステップにおいては、前記第１の記憶モードの場合よりも前記第２の記憶モードの場合に撮像画像から切り出す切り出し画像の撮像画角に対する範囲を大きくすることを特徴とする制御方法。
【請求項１２】
第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有する制御装置の制御方法であって、
撮像画像を記憶する記憶ステップと、
前記記憶ステップで記憶された撮像画像の一部の範囲の画像を切り出し画像表示手段へ表示するよう制御する制御ステップとを備え、
前記制御手段は、前記第１の記憶モードの場合よりも前記第２の記憶モードの場合に前記画像表示手段で表示する撮像画像から切り出した当該撮像画像の一部の範囲の切り出し画像の表示面積を小さくすることを特徴とする制御方法。
【発明の詳細な説明】
【技術分野】
【０００１】
本発明は、撮像した画像の表示技術に関する。
【背景技術】
【０００２】
従来から撮像装置により撮像した画像のフォーカス状態の確認のための画像表示が行われていた。例えば、特許文献１は、共通の画像について拡大率の異なる画像を、分割された表示画面へ同時表示を行うものである。これは、４分割された表示画面に、一駒を構成する基準画像が第１の領域Ａ１に表示し、基準画像の中の複数の拡大領域を、第２の領域Ａ２，第３の領域Ａ３および第４の領域Ａ４に一駒の画像として表示するものである。また、特許文献２、特許文献３にも同様の開示がある。
【特許文献１】特開２００３−３４５３４０号公報
【特許文献２】特開２００３−１７９７９８号公報
【特許文献３】特開２００４−１５８９０６号公報
【発明の開示】
【発明が解決しようとする課題】
【０００３】
しかしながら、撮像の際の記録画素数によっては、撮像画像の一部の範囲の画像を表示する場合に適切な解像度で表示することができない場合があった。これは、表示する際の表示画素と記録画素とが相違しているため、表示された画像からでは撮像画像のフォーカスの状態を確認できないためである。
【課題を解決するための手段】
【０００４】
本願発明は、上述の課題を解決するものであり、その一つの技術思想は、第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有し、撮像画像を記憶する記憶手段と、前記記憶手段に記憶されている撮像画像の一部の範囲の画像を切り出し画像表示手段へ表示するよう制御する制御手段とを備え、前記制御手段は、前記第１の記憶モードの場合よりも前記第２の記憶モードの場合に撮像画像から切り出す切り出し画像の撮像画角に対する範囲を大きくする。
【０００５】
また、別の技術思想は、第１の記録画素数の撮像画像を記憶する第１の記憶モードと、当該第１の記憶モードの際の撮像画角と同一の状態で当該第１の記録画素数よりも少ない第２の記録画素数の撮像画像を記憶できる第２の記憶モードとを少なくとも有し、撮像画像を記憶する記憶手段と、前記記憶手段に記憶されている撮像画像の一部の範囲の画像を切り出し画像表示手段へ表示するよう制御する制御手段とを備え、前記制御手段は、前記第１の記憶モードの場合よりも前記第２の記憶モードの場合に前記画像表示手段で表示する撮像画像から切り出した当該撮像画像の一部の範囲の切り出し画像の表示面積を小さくする。
【発明の効果】
【０００６】
本願開示の技術思想に拠れば、撮像画像の記録画素数に応じて、撮像画像の一部の範囲の画像を表示する場合に適切な解像度で表示することができる。
【発明を実施するための最良の形態】
【０００７】
以下、添付の図面に沿って本発明の実施の形態を説明する。
【実施例】
【０００８】
（第１の実施例）
図１は、撮像装置の構成ブロック図である。この図を用いて撮像装置についての説明を行う。
【０００９】
１０は撮影レンズである。撮影レンズ１０は、固定レンズ１１、変倍レンズ１２Ａ、補正レンズ１２Ｂ、及び、フォーカスレンズの１３により構成される４群型インナーフォーカス式ズームレンズである。
【００１０】
変倍レンズ１２Ａと、補正レンズ１２Ｂは不図示のカム機構により、両者の位置関係が規制されながら光軸に沿って移動し、焦点距離を変更する。これら、１２Ａ、１２Ｂをズームレンズ１２と呼称する。
【００１１】
１４は絞り機構とシャッター機構を有するシャッターユニット、１５は光学像を電気信号に変換する撮像素子、１６は撮像素子１５のアナログ信号出力をディジタル信号に変換するＡ／Ｄ変換器である。
【００１２】
１８は、撮像素子１５、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。
【００１４】
また、画像処理回路２０においては、撮像した画像データを用いて所定の演算処理を行う。そして、得られた演算結果に基づいてシステム制御回路５０が、露出制御手段４０、フォーカス制御手段４２に対して制御を行う。こうした、ＴＴＬ（スルー・ザ・レンズ）方式のＡＦ（オートフォーカス）処理、ＡＥ（自動露出）処理、ＥＦ（フラッシュプリ発光）処理を行っている。
【００１５】
フォーカス制御手段４２にて使用されるＡＦ（オートフォーカス）評価値は、例えば、次のようなデータである。すなわち、画像処理回路２０において、Ａ／Ｄ変換器１６から入力される画像信号の高周波成分を抽出すると共に、その絶対値を取り、その絶対値データを所定領域内にて積算したデータである。
【００１６】
また、画像処理回路２０においては、撮像した画像データを用いて所定の演算処理を行い、得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１８】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００１９】
画像表示部２８を用いて撮像した画像データを逐次表示すれば、電子ファインダー機能を実現することが可能である。また画像処理回路２０で作成されたヒストグラムを表示することも可能である。画像表示部２８は、システム制御回路５０の指示により任意に表示をオン（ＯＮ）にしたり、オフ（ＯＦＦ）にしたりすることが可能であり、表示をオフにした場合には撮像装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。また、メモリ３０はシステム制御回路５０の作業領域としても使用することが可能である。
【００２１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は、絞り機構とシャッター機構を有するシャッターユニット１４を制御する露出制御手段であり、フラッシュ４０４と連携することによりフラッシュ調光機能も有するものである。
【００２３】
４２はフォーカスレンズ１３を制御するフォーカス制御手段である。
【００２４】
露出制御手段４０、フォーカス制御手段４２は、ＴＴＬ方式を用いて制御されており、撮像した画像データを、画像処理回路２０によって演算した演算結果に基づき、システム制御回路５０が露出制御手段４０、フォーカス制御手段４２に対して制御を行う。
【００２５】
４４はズームレンズ１２を制御するズーム制御手段である。４８はコネクタであり、アクセサリーシューとも呼ばれ、フラッシュ装置４００との電気接点や機械的な固定手段も合わせて備えている。
【００２６】
５０は撮像装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部である。撮像装置１００の操作部近辺の視認し易い位置に単数或いは複数個所設置され、例えばＬＣＤやＬＥＤ、発音素子等の組み合わせにより構成されている。
【００２７】
また、表示部５４は、その一部の機能が光学ファインダー１０４内に設置されている。
【００２８】
表示部５４の表示内容のうち、ＬＣＤ等に表示するものとしては、シングルショット／連写撮影表示、セルフタイマー表示、圧縮率表示、画像サイズ表示、記録枚数表示、残撮影可能枚数表示、シャッタースピード表示がある。また同様に、絞り値表示、露出補正表示、フラッシュ表示、赤目緩和表示、マクロ撮影表示がある。さらに、ブザー設定表示、時計用電池残量表示、電池残量表示、エラー表示、複数桁の数字による情報表示、記録媒体２００の着脱状態表示、通信Ｉ／Ｆ動作表示、日付・時刻表示、等がある。
【００２９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３０】
５６は電気的に消去・記録可能な不揮発性メモリであり、例えばＥＥＰＲＯＭ等が用いられる。この不揮発メモリ５６には、ユーザが設定した情報などが格納されている。
【００３１】
６０、６４、６６、及び７０は、システム制御回路５０の各種の動作指示を入力するための操作手段である。スイッチやダイアル、タッチパネル、視線検知によるポインティング、音声認識装置等の単数或いは複数の組み合わせで構成される。
【００３２】
ここで、これらの操作手段の具体的な説明を行う。
【００３３】
６０はモードダイアルスイッチで、電源オフ、自動撮影モード、撮影モード、パノラマ撮影モード、再生モード、マルチ画面再生・消去モード、等の各機能モードを切り替え設定することが出来る。
【００３４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３５】
６４はシャッタースイッチＳＷ２である。これは、不図示のシャッターボタンの操作完了でＯＮとなり、撮像素子１５から読み出した信号をＡ／Ｄ変換器１６、メモリ制御回路２２を介してメモリ３０に画像データを書き込む露光処理の開始を指示する。続いて、画像処理回路２０やメモリ制御回路２２での演算を用いた現像処理の開始の指示に繋がる。さらに、メモリ３０から画像データを読み出し、圧縮・伸長回路３２で圧縮を行い、記録媒体２００に画像データを書き込む記録処理という一連の処理の動作開始の指示に繋がる。
【００３６】
６６は画像表示ＯＮ／ＯＦＦスイッチで、画像表示部２８のオンやオフを設定することが出来る。この機能により、光学ファインダー１０４を用いて撮影を行う際に、ＴＦＴ  ＬＣＤなどから成る画像表示部２８への電流供給を遮断することにより、省電力を図ることが可能となる。
【００３７】
７０はＭＦスイッチである。これは、ユーザがフォーカスレンズを操作しフォーカシングを行う、マニュアルフォーカスモードに設定することが出来る。
【００３８】
７２はメニュースイッチである。これは、このスイッチを押す事から、メニュー画面に入り、各機能のオンや、オフの切り替え、撮影設定のパラメータの選択などを行う。このメニュー画面にて操作性パラメータテーブルの選択も行う事が出来る。
【００３９】
７４は各種ボタンやタッチパネル等からなる操作部である。これは、セットボタン、キャンセルボタン、マクロボタン、マルチ画面再生改ページボタン、フラッシュ設定ボタン、単写／連写／セルフタイマー切り替えボタンを有する。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンをも有する。また、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタンを有する。また、画像表示部２８のオンやオフを設定する画像表示ＯＮ／ＯＦＦスイッチ６６、撮影直後に撮影した画像データを自動再生するレックレビューＯＮ／ＯＦＦを設定するレックレビュースイッチを有する。また、画像サイズを設定する画像サイズ選択スイッチを有する。この実施例では、サイズＳ（６４０×４８０画素）とそれより記録する画素数が多いサイズＭ（１６００×１２００画素）、さらに記録する画素数が多いサイズＬ（２５９２×１９４４画素）を有する。また、ＪＰＥＧ圧縮の圧縮率を選択するため或いは撮像素子１５の信号をそのままディジタル化して記録媒体に記録するＲＡＷモードを選択するためのスイッチである圧縮モードスイッチを有する。また、再生モード、マルチ画面再生・消去モード、ＰＣ接続モード等の各機能モードを設定することが出来る再生モードスイッチを有する。また、撮影モード状態において、撮影した画像をメモリ３０或いは記録媒体２００から読み出して画像表示部２８によって表示する再生動作の開始を指示する再生スイッチを有する。また、撮影した画像の消去を行う画像消去スイッチ、等がある。
【００４０】
８０は電源制御手段である。これは、電池検出回路、ＤＣ−ＤＣコンバータ、通電するブロックを切り替えるスイッチ回路等により構成されている。電源制御手段８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４２】
９０はメモリカードやハードディスク等の記録媒体とのインタフェース、９２はメモリカードやハードディスク等の記録媒体と接続を行うコネクタ、９８はコネクタ９２に記録媒体２００が装着されているか否かを検知する記録媒体着脱検知手段である。
【００４３】
なお、本実施例では記録媒体を取り付けるインタフェース及びコネクタを１系統として説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４４】
インタフェース及びコネクタとしては、ＰＣＭＣＩＡカードやＣＦ（コンパクトフラッシュ（登録商標））カード等の規格に準拠したものを用いて構成して構わない。
【００４５】
さらに、インタフェース９０、そしてコネクタ９２をＰＣＭＣＩＡカードやＣＦ（コンパクトフラッシュ（登録商標））カード等の規格に準拠したものを用いて構成した場合、次のことができる。つまり、他のコンピュータやプリンタ等の周辺機器との間で画像データや画像データに付属した管理情報を転送し合うことが出来る。これは、ＬＡＮカードやモデムカード、ＵＳＢカード、ＩＥＥＥ１３９４カード、Ｐ１２８４カード、ＳＣＳＩカード、ＰＨＳなどの通信カード、等の各種通信カードを接続することによる。
【００４６】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４７】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４８】
１１２は通信手段１１０により撮像装置１００を他の機器と接続するコネクタ或いは無線通信の場合はアンテナである。
【００４９】
２００はメモリカードやハードディスク等の記録媒体である。
記録媒体２００は、半導体メモリや磁気ディスク等から構成される記録部２０２、撮像装置１００とのインタフェース２０４、撮像装置１００と接続を行うコネクタ２０６を備えている。４００はフラッシュ装置である。
【００５０】
４０２は撮像装置１００のアクセサリーシューと接続するためのコネクタである。
【００５１】
４０４はフラッシュであり、ＡＦ補助光の投光機能、フラッシュ調光機能も有する。
【００５２】
図２及至図５を用いて本実施例のシステムのフローチャートを示す。なお、以下に示す制御は、特に示したものを除いて、システム制御回路５０からの指示に基づく動作処理である。
【００５３】
電池交換等の電源投入により、システム制御回路５０はフラグや制御変数等を初期化し（ステップＳ１０１）、画像表示部２８の画像表示をＯＦＦ状態に初期設定する（ステップＳ１０２）。
【００５４】
システム制御回路５０は、モードダイアル６０の設定位置を判断し、モードダイアル６０が電源ＯＦＦに設定されていたならば（ステップＳ１０３）、ステップＳ１０５に進む。ステップＳ１０５でシステム制御回路５０は、各表示部の表示を終了状態に変更する。そして、フラグや制御変数等を含む必要なパラメータや設定値、設定モードを不揮発性メモリ５６に記録する。そして、電源制御手段８０により画像表示部２８を含む撮像装置１００各部の不要な電源を遮断する等の所定の終了処理を行う。この終了処理のあと、ステップＳ１０３に戻る。
【００５５】
一方、ステップＳ１０３で、モードダイアル６０が撮影モードに設定されていたならば、ステップＳ１０６に進む。
【００５６】
また、ステップＳ１０３で、モードダイアル６０がその他のモードに設定されていたならば、システム制御回路５０は選択されたモードに応じた処理を実行し（ステップＳ１０４）、処理を終えたならばステップＳ１０３に戻る。
【００５７】
システム制御回路５０は、電源制御手段８０により電池等により構成される電源８６の残容量や動作情況が撮像装置１００の動作に問題があるか否かを判断する（ステップＳ１０６）。ステップＳ１０６で問題があるならば、ステップＳ１０９へ進み、表示部５４を用いて画像や音声により所定の警告表示を行った後に、ステップＳ１０３に戻る。
【００５８】
一方、ステップＳ１０６で電源８６に問題が無いならば、ステップＳ１０７へ進む。そして、ステップＳ１０７で、システム制御回路５０は記録媒体２００或いは２１０の動作状態が画像処理装置１００の動作に問題があるか否かを判断する。これは、特に記録媒体に対する画像データの記録再生動作に問題があるか否かを判断し、問題があるならば表示部５４を用いて画像や音声により所定の警告表示を行う。この警告後に、ステップＳ１０３に戻る。
【００５９】
一方、ステップＳ１０７で記録媒体２００の動作状態に問題が無いならば、ステップＳ１０８に進む。
【００６０】
ステップＳ１０８で画像表示部２８を用いて撮像した画像データを表示し、電子ファインダー１０４をＯＮにし図３のステップＳ１１０に進む。
【００６１】
次に撮影開始かを判断する（ステップＳ１１０）。撮影が開始されていない場合は、撮影開始判断（ステップＳ１１０）に戻る。撮影を開始する場合は、露出制御手段４０、フォーカス制御手段４２を制御して、フォーカス・露出調整の処理を行う（ステップＳ１１１）。なお、ステップＳ１１１におけるフォーカス・露出調整については、図３を用い、後述する。次に撮影処理を行う（ステップＳ１１２）。撮影処理（ステップＳ１１２）は、図４を用い後述する。
【００６２】
ステップＳ１１２での撮影処理（露光処理）のあと、画像表示部２８に撮影処理した画像の表示を行う所謂レックレビューを行うモードであるかを判断する（ステップＳ１１３）。レックレビューモードのＯＮ／ＯＦＦ設定は、操作部７４にあるレックレビュースイッチにて切り替え、もしくはカメラ設定メニューにて切り替えを行う事が可能である。レックレビューモードで無い場合は、ステップＳ１１０での撮影開始判断に戻る。
【００６３】
レックレビューモードの場合は、次にフォーカス確認用レックレビューモードであるかの判断を行う（ステップＳ１１４）。フォーカス確認用レックレビューモードＯＮ／ＯＦＦは、操作部７４にあるレックレビュースイッチにて切り替え、もしくはレックレビュー中に操作部７４にある画像表示ＯＮ／ＯＦＦスイッチにて切り替えを行う事が可能である。フォーカス確認用レックレビューモードで無い場合は、画像表示部２８に、画像表示メモリに書き込まれている撮影した画像の表示用データを表示する（ステップＳ１１８）。
【００６４】
フォーカス確認用レックレビューモードの場合は、次に撮影画像のサイズ（記録画素数）を判断する（ステップＳ１１５）。本実施例では、サイズＬ、サイズＳだけの判断を行っているが、もちろん、その他複数の記録サイズがある構成でも構わない。撮影画像サイズが大きいサイズ、つまり記録画素数が多いサイズＬであった場合は、画像表示部２８に画像表示メモリ２４に書き込まれている表示用データと同時に、フォーカス確認用画像として表示する（ステップＳ１１６）。このフォーカス確認用画像は、メモリ３０に一旦記録されている画像データから画像サイズＬ用に全体画像の所定範囲の画像に対応する画像データを一部切り出して生成される。
【００６５】
一方、撮影画像サイズが小さいサイズ、つまり記録画素数が少ないサイズＳであった場合においても、画像表示部２８に画像表示メモリに書き込まれている表示用データと同時に、フォーカス確認用画像として表示する（ステップＳ１１７）。ただし、ここでのフォーカス確認用画像は、メモリ３０に一旦記録されている撮影した画像データを画像サイズＳ用に一部切り出したデータに基づいて生成される。なお、フォーカス確認用のレックレビュー画面に関しては、図５を用いて後述する。
【００６６】
次にレックレビューの状態を維持する操作であるロック操作が行われたかの判断を行う（ステップＳ１１９）。レックレビューをロックする操作は、レックレビュー中に、操作部７４にあるセットボタンを押す、もしくは画像表示ＯＮ／ＯＦＦスイッチを押す事により行う事が出来る。レックレビューロック操作が行われた場合は、レックレビューをロックする（ステップＳ１２０）。これにより、レックレビュー時間として設定された所定時間を経過した後でもレックレビューを続ける事が可能である。なお、レックレビュー時間は、操作部７４にあるレックレビュースイッチにて切り替え、もしくはカメラ設定メニューにて切り替えを行う事が可能である。
【００６７】
次に撮影した画像を消去する操作がされたかの判断を行う（ステップＳ１２１）。撮影した画像を消去する操作は操作部７４にある画像消去スイッチにて行なう事が出来る。
【００６８】
画像消去操作が行われた場合は、現在画像表示部２８にレックレビューしている画像に対応する画像データをメモリ３０から記録媒体２００に書き込まずに消去処理を行う（ステップＳ１２３）。画像消去処理を行った後、撮影開始判断（ステップＳ１１０）に戻る。
【００６９】
画像消去操作が行われなかった場合は、次にレックレビューのロック解除操作が行われたかの判断を行う（ステップＳ１２５）。レックレビューのロック解除操作は、シャッタースイッチＳＷ１６２を操作する事により行なう事が出来る。レックレビューのロック解除操作が行われた場合は、レックレビュー画像表示を画像表示部２８から消し（ステップＳ１２６）、撮影開始の判断（ステップＳ１１０）に戻る。
【００７０】
ステップＳ１１９において、レックレビューのロックが行われなかった場合は、次に撮影した画像を消去する操作がされたかの判断を行う（ステップＳ１２２）。撮影した画像を記録部２０２へ転送させずに消去する操作は操作部７４にある画像消去スイッチにて行なう事が出来る。
【００７１】
画像消去操作が行われた場合は、現在画像表示部２８にレックレビューしている画像を記録部２０２へ転送せずにメモリ３０からの消去処理を行う（ステップＳ１２３）。画像消去処理を行った後、撮影開始判断（ステップＳ１１０）に戻る。
【００７２】
ステップＳ１２２において、画像消去操作が行われなかった場合は、次に設定しているレックレビュー時間が経過しているかの判断を行う（ステップＳ１２４）。レックレビュー時間を経過していない場合は、レックレビューロック操作の判断（ステップＳ１１９）に戻る。ステップＳ１２４において、レックレビュー時間を経過している場合は、レックレビュー画像表示を画像表示部２８から消し（ステップＳ１２６）、撮影開始の判断（ステップＳ１１０）に戻る。
【００７３】
次に図４にて、図３のステップＳ１１１における測距・測光処理の詳細なフローチャートを示す。なお、以下に示す制御は、特に示したものを除いて、システム制御回路５０からの指示に基づく動作処理である。
【００７４】
システム制御回路５０は、撮像素子１５から電荷信号を読み出し、Ａ／Ｄ変換器１６を介して画像処理回路２０に撮影画像データを逐次読み込む（ステップＳ１００１）。この逐次読み込まれた画像データを用いて後述するように画像処理回路２０がＡＥ（自動露出）制御、ＥＦ（フラッシュプリ発光）制御、及びＡＦ（オートフォーカス）制御に用いる所定の演算を行うことになる。
【００７５】
まず、画像処理回路２０での演算結果を用いて、システム制御回路５０は露出が適正と判断されるまで（ステップＳ１００２）、露出制御手段４０を用いてＡＥ制御を行う（ステップＳ１００３）。
【００７６】
ＡＥ制御で得られた測定データを用いて、システム制御回路５０はフラッシュが必要か否かを判断し（ステップＳ１００４）、フラッシュが必要ならばフラッシュフラグをセットし、フラッシュ４０４を充電する（ステップＳ１００５）。
【００７７】
ステップＳ１００２において、露出が適正と判断したならば、測定データ及び或いは設定パラメータをシステム制御回路５０の内部メモリ或いはメモリ５２に記憶する。
【００７８】
システム制御回路５０はホワイトバランス（ＡＷＢ）が適正か否かを判断する（ステップＳ１００６）。この判断は、画像処理回路２０での演算結果及びＡＥ制御で得られた測定データを用いる。そして、画像処理回路２０を用いて色処理のパラメータを調節してＡＷＢ制御を行う（ステップＳ１００７）。
【００７９】
ホワイトバランス（ＡＷＢ）が適正と判断したならば（ステップＳ１００６）、測定データ及び或いは設定パラメータをシステム制御回路５０の内部メモリ或いはメモリ５２に記憶する。
【００８０】
ＡＥ制御及びＡＷＢ制御で得られた測定データを用いて、システム制御回路５０はフォーカス制御手段４２を用いてフォーカス制御を行う（ステップＳ１００９）。
【００８１】
画像処理回路２０により得られたＡＦ評価値に基づいて合焦とシステム制御回路５０が判断したならば（ステップＳ１００８）、測定データ及び或いは設定パラメータをシステム制御回路５０の内部メモリ或いはメモリ５２に記憶する。そして、フォーカス・露出調整処理ルーチンであるステップＳ１１１を終了する。
【００８２】
図５にて、図３のＳ１１２における撮影処理の詳細なフローチャートを示す。
【００８３】
システム制御回路５０は、撮像素子１５の電荷クリア動作を行った後に（ステップＳ２００１）、撮像素子１５の電荷蓄積を開始する（ステップＳ２００２）。そして、露出制御手段４０によって、シャッター１４を開き（ステップＳ２００３）、撮像素子１５の露光を開始する（ステップＳ２００４）。
【００８４】
ここで、フラッシュ・フラグによりフラッシュ４０４が必要か否かを判断し（ステップＳ２００５）、必要な場合はフラッシュを発光させる（ステップＳ２００６）。一方、フラッシュ４０４が使用不可能な場合はＳ２００７に進む。
【００８５】
システム制御回路５０は、測光データに従って撮像素子１５の露光終了を待ち（ステップＳ２００７）、露出制御手段４０によって、シャッター１４を閉じ（ステップＳ２００８）、撮像素子１５の露光を終了する。
【００８６】
設定した電荷蓄積時間が経過したならば（ステップＳ２００９）、システム制御回路５０は、撮像素子１５の電荷蓄積を終了する（ステップＳ２０１０）。そして、撮像素子１５から電荷信号を読み出し、Ａ／Ｄ変換器１６、画像処理回路２０、メモリ制御回路２２を介して、或いはＡ／Ｄ変換器１６から直接メモリ制御回路２２を介して、一旦、メモリ３０の所定領域への撮影画像データを書き込む（Ｓ２０１１）。一連の処理を終えたならば、撮影処理ルーチンとしてステップＳ１１２を終了する。
【００８７】
図６及至図８を用いて、レックレビュー時に画像表示部２８へ表示される画像を説明する。
【００８８】
図６の５０１はフォーカス確認用のレックレビューモードでは無い場合の画像表示部２８である。
【００８９】
図７の５０２はフォーカス確認用レックレビューモードでの画像を表示している画像表示部２８で、図６の５０１に対応するものである。５０３は、図３のステップＳ１１１におけるフォーカス・露出調整処理の際に得られたＡＦ評価値を基に、フォーカスが合っているとシステム制御回路５０が判断した箇所を示すＡＦフレームである。図７では、３箇所（ＡＦフレーム）においてフォーカスがあっている場合を示し、当該ＡＦフレームは、画像表示部２８において緑色で被写体画像に重畳されて表示されている。
【００９０】
５０４は、フォーカスの状態を確認する為に、メモリ３０に記憶されている画像データから切り出す領域に対応する画像表示部２８上の領域である。５０３にて示されているフォーカス・露出調整処理によってフォーカスの合っている箇所の中で一番フォーカスが合っているとシステム制御回路５０が判断した箇所が最初に選択される。この領域５０４は、前述のＡＦフレーム５０３と区別できるようにその領域枠を破線で被写体像に重畳されて表示される。なお、この表示は、領域５０４とＡＦフレーム５０３とが区別できるよう互いに異なる表示形態で表示されれば良く、例えば、実線と破線、緑色と白色といった具合である。これにより複数箇所（ＡＦフレーム）でフォーカスが合っている場合であっても、ユーザにとって撮影画角上のどの位置に領域５０４があるかを認識できることが出来る。
【００９１】
５０５は、撮影した画像の圧縮率と、画像サイズ（記録画素数）、並びにファイルサイズを示す指標である。圧縮率を図形で示し、その後のアルファベットは記録画素数としての画像サイズを表している。ファイルサイズを表示する事により、同じシーンを撮影した場合、ファイルサイズの大小を見る事で、撮影画角全体の合焦度合いを判断する指標をユーザーに提供する事が可能である。すなわち、同じ圧縮率の場合であれば、ファイルサイズは画像の高周波成分に依存することを利用したものである。例えば、撮影画角全体の合焦度が高い場合にはファイルサイズがより大きくなり、合焦動画が低い場合にはファイルサイズが小さくなる。
【００９２】
５０６Ｂは、５０４で示した領域に対応するデータを、メモリ３０に記憶されている画像データから切り出して、画像表示部２８上に表示した画像である。この画像５０６Ｂの表示により、領域５０４に対応する撮像データが合焦状態にあるものなか否かをユーザーが判断し易くなる。なお、画像５０６Ａは、メモリ３０に記憶されている撮影画像を表示するもので、メモリ３０にあるデータを圧縮縮小した画像である。本実施例のように画像５０６Ａと画像５０６Ｂとを同時に画像表示部２８に表示した場合には、撮影画角における合焦状態の確認位置（領域５０４）をユーザーに視認し易くしつつ、その合焦状態をユーザーが判断することをアシストするものである。
【００９３】
図８の５０７は、フォーカス確認用レックレビューモードにて、同じ被写体を図７にて説明した画像の画像サイズより記録画素数を少なくして撮影した場合、例えばサイズＳの場合に画像表示部２８に表示される画像である。
【００９４】
図８の領域５０８は、図７の領域５０４に対応する領域で、フォーカスの状態を確認する為に、メモリ３０に記憶されている画像データから切り出す領域に対応する画像表示部２８上の領域である。ここで、領域５０８は領域５０４よりも同じ撮影画角に対して大きい領域である。すなわち、メモリ３０に記憶されている画像データから切り出して別途画像５０９Ｂとして表示する領域（領域５０８）が図７で説明した領域５０４よりも大きくなっている。これは図７の画像５０６Ｂ、図８の画像５０９Ｂの表示画素数を変えずに、記録画素数に応じて切り出す画像の全体画像に対する割合を変えることで実現できる。すなわち、メモリ３０に記憶されている画像データから切り出して表示する領域のサイズ（画素数）を変えないことにより実現できる。メモリ３０に記録されている画像サイズとしての記録画素数が図７と図８の場合とでは異なる為である。なお、画像５０９Ａは、図７の画像５０６Ａに対応する。
【００９５】
これにより次のような効果がある。すなわち、画像表示部２８の表示画素数はおよそ１０〜２５万画素程度であるのに対し、記録画素数は、例えば、上記実施例のＳサイズでも３０万画素以上、Ｌサイズでは５００万画素程度ある。したがって、１０〜２５万画素程度の画像表示部２８でフォーカスの状態を確認するような場合、記録画素数との差適切な解像度で表示する事が出来ず、その為にユーザーが視認出来る程度に適切に表示することができなかった。この点、上述の実施例のようにすれば、記録画素数に対応させてユーザーが視認出来る程度に適切な解像度で画像表示することができる。
【００９６】
また、メモリ３０から撮像画像の一部を切り出して表示すれば、拡大処理を行う必要が無くなる。また、メモリ３０に記憶されている画像データからの切り出し画像であるため、拡大処理に伴う画質の劣化がなくなる。
【００９７】
（第２の実施例）
次に、第１の実施例とは別の画像表示技術について説明する。なお、撮像装置、システムのフローチャートについての説明は第１の実施例に記述した通りなので、ここでの説明は省略する。
【００９８】
図６及び、図９、図１０を用いてレックレビューの際に画像表示部２８へ表示される画像を説明する。
【００９９】
図６の５０１は、上記説明したように、フォーカス確認用レックレビューモードで無い場合の画像を表示している画像表示部２８である。
【０１００】
図９の５１０は、フォーカス確認用レックレビューモードでの画像を表示している画像表示部２８である。５１１は、図３のステップＳ１１１におけるフォーカス・露出調整処理の際に得られたＡＦ評価値を基に、フォーカスが合っていると判断した箇所を示すＡＦフレームである。図９では、３箇所（ＡＦフレーム）においてフォーカスがあっている場合を示し、当該ＡＦフレームは、画像表示部２８において緑色で表示されている。
【０１０１】
５１２は、フォーカスの状態を確認する為に、メモリ３０に記憶されている画像データから切り出す領域に対応する画像表示部２８上の領域である。領域５１２は、ＡＦフレーム５１１にて示されているフォーカス・露出調整処理によってフォーカスが合っている箇所の中で一番フォーカスが合っていると判断された箇所が、最初に選択される。この領域５１２は、前述のＡＦフレーム５１１と区別できるように、ＡＦフレーム５１１の代わりに、領域５１２の領域枠を破線で表示される。なお、この表示は、領域５１２とＡＦフレーム５１１とが区別できるよう互いに異なる表示形態で表示されれば良く、例えば、実線と破線、緑色と白色といった具合である。これにより複数箇所（ＡＦフレーム）でフォーカスが合っている場合であっても、ユーザにとって撮影画角上のどの位置に領域５１２があるかを認識できることが出来る。
【０１０２】
５１３は、撮影した画像の圧縮率と、画像サイズ（記録画素数）、並びにファイルサイズを示す指標である。圧縮率を図形で示し、その後のアルファベットで記録画素数としての画像サイズを表している。ファイルサイズを表示する事により、同じシーンを撮影した場合、ファイルサイズの大小を見る事で、合焦度合いを判断する事が可能である点は上述したとおりである。
【０１０３】
５１４Ｂは、５１２で示した領域を、メモリ３０に記憶されている画像５１４Ａに対応する画像データから切り出して、画像表示部２８上に表示した画像である。この画像５１４Ｂの表示により、領域５１２に対応する撮像データが合焦状態にあるものなのか否かを判断し易くなる。なお、画像５１４Ａは、メモリ３０に記憶されている撮影画像を表示するもので、メモリ３０にあるデータを圧縮した画像である。本実施例のように画像５１４Ａと画像５１４Ｂとを同時に画像表示部２８に表示した場合には、撮影画角における合焦状態確認位置をユーザーに視認し易くしつつ、その合焦状態をユーザーが判断することをアシストするものである。
【０１０４】
図１０の５１５は、フォーカス確認用レックレビューモードにて、同じ被写体を図９にて説明した画像の画像サイズより記録画素数を少なくして撮影した場合、例えば画像サイズＳの場合に画像表示部２８に表示される画像である。
【０１０５】
図１０の画像５１７Ｂは、図９の画像５１４Ｂに対応する画像で、フォーカスの状態を確認する為に、メモリ３０に記憶されている画像データから切り出す領域５１２又は５１６に対応させて画像表示部２８に表示される。ここで、領域５１４Ｂは領域５１７Ａに対して大きい。すなわち、メモリ３０に記憶されている画像データから切り出す画像５１４Ｂ、５１７Ｂが領域５１２、５１６に対して異なる大きさ領域で表示されている。
【０１０６】
これは図９の５１２、図１０の５１６に対応した画像をメモリ３０に記憶されている画像データから切り出して表示することで実現できる。なぜなら、図９において画像５１４Ａに対する領域５１２と図１０において画像５１７Ａに対する領域５１６の画像表示部２８上での表示上のサイズ（画素数）が同じであったとしても、メモリ３０に記憶されているサイズ（画素数）が異なるためである。
【０１０７】
このようにメモリ３０に記憶されているサイズ（画素数）が異なるため次のようにするものである。すなわち、画像表示部２８上の同じ大きさの領域（領域５１２と領域５１６）に対応する画像を切り出して画像表示部２８上に表示した場合、そのサイズ（記録画素数）の相違に対応させた表示を行うものである。
【０１０８】
ここでは、メモリ３０上のサイズが小さい場合（記録画素数が少ない場合）は、次のようにしている。すなわち、図９，１０のように、撮影画角（画像５１７Ａ）に対する切り出し画像（画像５１７Ｂ）の表示面積を、撮影画角（画像５１４Ａ）に対する切り出し画像（画像５１４Ｂ）の表示面積よりも小さくしている。
【０１０９】
これにより次のような効果がある。すなわち、画像表示部２８の表示画素数はおよそ１０〜２５万画素程度であるのに対し、記録画素数は、例えば、上記実施例のＳサイズでも３０万画素以上、Ｌサイズでは５００万画素程度ある。したがって、１０〜２５万画素程度の画像表示部２８でフォーカスの状態を確認するような場合、記録画素数との差からユーザーが視認出来る程度に適切に表示することができなかった。この点、上述の実施例のようにすれば、記録画素数に対応させてユーザーが視認出来る程度に適切に画像表示することができる。更に、第１の実施例と同様に、メモリ３０から撮像画像の一部を切り出して表示すれば、拡大処理を行う必要が無くなる。また、メモリ３０に記憶されている画像データからの切り出し画像であるため、拡大処理に伴う画質の劣化がなくなる。
【０１１０】
（第３の実施例）
次に第３の実施例として、図１１のフローチャートを用いて説明する。第３の実施例は、第１、第２の実施例で説明したフォーカス確認用レックレビューモードをフォーカス確認用再生モードに応用したものである。したがって、第３の実施例では、図１の撮像装置の構成、図６〜１０で説明した画像表示部２８での表示内容については同じであるので、ここでの説明は省略する。また、以下に示す制御は、特に示したものを除いて、システム制御回路５０からの指示に基づく動作処理である。
【０１１１】
電池交換等の電源投入により、システム制御回路５０はフラグや制御変数等を初期化し（ステップＳ１２７）、画像表示部２８の画像表示をＯＦＦ状態に初期設定する（ステップＳ１２８）。
【０１１２】
システム制御回路５０は、モードダイアル６０の設定位置を判断する（ステップＳ１２９）。モードダイアル６０が電源ＯＦＦに設定されていたならば、各表示部の表示を終了状態に変更し、フラグや制御変数等を含む必要なパラメータや設定値、設定モードを不揮発性メモリ５６に記録する。そして、電源制御手段８０により画像表示部２８を含む撮像装置１００各部の不要な電源を遮断する等の所定の終了処理を行った後（ステップＳ１３１）、ステップＳ１２９に戻る。
【０１１３】
ステップＳ１２９において、モードダイアル６０が再生モードに設定されていたならば、ステップＳ１３２に進む。
【０１１４】
一方、ステップＳ１２９において、モードダイアル６０がその他のモードに設定されていたならば、システム制御回路５０は選択されたモードに応じた処理を実行し（ステップＳ１３０）、処理を終えたならばステップＳ１２９に戻る。
【０１１５】
システム制御回路５０は、電源制御手段８０により電池等により構成される電源８６の残容量や動作状況が撮像装置１００の動作に問題があるか否かを判断する（ステップＳ１３２）。ステップＳ１３２において、問題があるならば表示部５４を用いて画像や音声により所定の警告表示を行う（ステップＳ１３４）。この所定の警告表示を行った後、ステップＳ１２９に戻る。
【０１１６】
一方、ステップＳ１３２において、電源８６に問題が無いならば、システム制御回路５０は記録媒体２００の動作状態が撮像装置１００の動作、特に記録媒体に対する画像データの記録再生動作に問題があるか否かを判断する（ステップＳ１３３）。ステップＳ１３３において、問題があるならば表示部５４を用いて画像や音声により所定の警告表示を行う（ステップＳ１３４）。この警告表示を行った後、ステップＳ１２９に戻る。
【０１１７】
ステップＳ１３３において、記録媒体２００の動作状態に問題が無いならば、記録媒体中の画像を内部メモリ３０に読み込む（Ｓ１３５）。読み込む画像は、一番最近に撮影した画像や、あらかじめ再生するよう設定していた画像などである。
【０１１８】
次にフォーカスの状態を確認できる再生モードであるフォーカス確認用再生モードか否かの判断を行う（ステップＳ１３６）。フォーカス確認用再生モードＯＮ／ＯＦＦは、カメラ設定メニュー、もしくは画像再生中に操作部７４にある画像表示ＯＮ／ＯＦＦスイッチにて切り替えを行う事が可能である。フォーカス確認用再生モードで無い場合は、画像表示部２８に内部メモリ３０へ読み込んだ画像を基に作成した、再生表示用画像データを表示する（ステップＳ１４０）。
【０１１９】
フォーカス確認用再生モードの場合は、次に再生画像のサイズを判断する（ステップＳ１３７）。本実施例では、サイズＬ、サイズＳだけの判断を行っているが、もちろん、その他複数の記録サイズがある構成でも構わない。
【０１２０】
撮影画像サイズが大きいサイズ、つまりサイズＬであった場合は、内部メモリ３０へ読み込んだ画像を基に作成した再生表示用画像データと同時に、一部切り出した画像データをフォーカス確認用画像として表示する（ステップＳ１３８）。この一部切り出し画像データは、内部メモリ３０へ読み込んだ画像データの一部を画像サイズＬ用に切り出した画像である。
【０１２１】
撮影画像サイズが小さいサイズ、つまりサイズＳであった場合は、内部メモリ３０へ読み込んだ画像を基に作成した再生表示用画像データと同時に、一部切り出した画像データをフォーカス確認用画像として表示する（ステップＳ１３９）。この一部切り出した画像データは、内部メモリ３０へ読み込んだ画像データの一部を画像サイズＳ用に切り出した画像である。
【０１２２】
次に、再生画像表示中に、画像消去操作が行われたかの判断を行う（ステップＳ１４１）。ステップＳ１４１において、画像消去操作が行われていない場合は、画像消去操作判断（ステップＳ１４１）に戻る。ステップＳ１４１において、画像消去操作が行われた場合は、再生されている画像の消去処理を行い（ステップＳ１４２）、終了する。
【０１２３】
以上のように、第３の実施例に拠れば、第１の実施例、第２の実施例で説明した画像表示技術をレックレビューの際だけでなく、記録部２０２に記録されている画像データを再生する際においても適用することができる。
【０１２４】
なお、上記第１及至第３の実施例において、画像表示部２８は、例えばパソコン等のディスプレイ、テレビであっても、撮像の際の記録画素数と表示する際の表示画素とが相違している場合には、本願表示技術は効果を有する。また、記録画素の相違はサイズＬ、Ｍ、及びＳ等の記録モードのほか、いわゆる標準画質（ＳＤ）表示用の記録とハイビジョン画質（ＨＤ）表示用の記録との相違であっても本願表示技術は効果を有する。
【図面の簡単な説明】
【０１２５】
【図１】撮像装置の構成ブロック図である。
【図２】撮像装置の操作処理フローチャートである。
【図３】撮像装置による撮像処理のフローチャートである。
【図４】フォーカス・露出調整処理ルーチンのフローチャートである。
【図５】撮影処理ルーチンのフローチャートである。
【図６】フォーカス確認用レックレビューモードでの画像表示部の表示内容を説明する図である。
【図７】記録画素数がＬサイズの場合のフォーカス確認用レックレビューモードでの画像表示部の表示内容を説明する図である。
【図８】記録画素数がＳサイズの場合のフォーカス確認用レックレビューモードでの画像表示部の表示内容を説明する図である。
【図９】記録画素数がＬサイズの場合のフォーカス確認用レックレビューモードでの画像表示部の表示内容を説明する図である。
【図１０】記録画素数がＳサイズの場合のフォーカス確認用レックレビューモードでの画像表示部の表示内容を説明する図である。
【図１１】撮像装置の操作処理フローチャートである。
【符号の説明】
【０１２６】
１０  撮影レンズ
１４  シャッターユニット
１５  撮像素子
１６  Ａ／Ｄ変換器
１８  タイミング発生回路
２０  画像処理回路
２４  画像表示メモリ
２８  画像表示部
３０  メモリ
４２  フォーカス制御手段
４４  ズーム制御手段
５０  システム制御回路
５２  メモリ
６０  モードダイアルスイッチ
６２  シャッタースイッチＳＷ１
６４  シャッタースイッチＳＷ２
７０  ＭＦスイッチ
７２  メニュースイッチ
８０  電源制御手段
【図１】
2007208626.tif 000003
【図２】
2007208626.tif 000004
【図３】
2007208626.tif 000005
【図４】
2007208626.tif 000006
【図５】
2007208626.tif 000007
【図６】
2007208626.tif 000008
【図７】
2007208626.tif 000009
【図８】
2007208626.tif 000010
【図９】
2007208626.tif 000011
【図１０】
2007208626.tif 000012
【図１１】
2007208626.tif 000013